(57)【特許請求の範囲】
【請求項１】
音声信号又は映像信号を生成する情報発生手段を有する親機としてのサーバと、
前記親機に対する複数の子機として分散配置される複数のマンマシンインタフェースと、
ユーザーが携帯する携帯端末装置とを備え、
前記サーバに設けられた送受信手段と前記各々のマンマシンインタフェースに設けられた各々の送受信手段とを介して、前記サーバと前記各々のマンマシンインタフェースとの間で有線伝送又は無線伝送が行われと共に、前記サーバに設けられた前記送受信手段と前記携帯端末装置に設けられた送受信手段とを介して、前記サーバと前記携帯端末装置との間で無線伝送が行われる情報再生システムであって、
前記ユーザーが携帯する携帯端末装置は、
前記サーバに指令信号を無線伝送することで前記サーバを制御する制御手段と、所定距離の範囲内で測定可能な電力の電波を発信する発信手段と、を有し、
前記各々のマンマシンインタフェースは、
前記携帯端末装置の前記発信手段から発せられる前記電波の電界強度を測定する測定手段と、前記測定手段で測定される電界強度と所定値とを比較して、前記電界強度が前記所定値より大きいと判断すると前記ユーザーが近付いたことを示す信号を前記サーバに返送する制御手段と、を有し、
前記サーバは、
前記ユーザーが近付いたことを示す信号を返送してきたマンマシンインタフェースに対し、前記情報発生手段で生成される音声信号又は映像信号を伝送することで、音声再生又は映像再生を行わせる制御手段を有すること、
を特徴とする情報再生システム。
【請求項２】
音声信号又は映像信号を生成する情報発生手段を有する親機としてのサーバと、
前記親機に対する複数の子機として分散配置される複数のマンマシンインタフェースと、
ユーザーが携帯する携帯端末装置とを備え、
前記サーバに設けられた送受信手段と前記各々のマンマシンインタフェースに設けられた各々の送受信手段とを介して、前記サーバと前記各々のマンマシンインタフェースとの間で有線伝送又は無線伝送が行われと共に、前記サーバに設けられた前記送受信手段と前記携帯端末装置に設けられた送受信手段とを介して、前記サーバと前記携帯端末装置との間で無線伝送が行われる情報再生システムであって、
前記ユーザーが携帯する携帯端末装置は、
前記サーバに指令信号を無線伝送することで前記サーバを制御する制御手段と、赤外線を発する発信手段と、を有し、
前記各々のマンマシンインタフェースは、
前記携帯端末装置の前記発信手段から発せられる前記赤外線を検知する検知手段と、前記検知手段で前記赤外線を検知されると前記ユーザーが近付いたことを示す信号を前記サーバに返送する制御手段と、を有し、
前記サーバは、
前記ユーザーが近付いたことを示す信号を返送してきたマンマシンインタフェースに対し、前記情報発生手段で生成される音声信号又は映像信号を伝送することで、音声再生又は映像再生を行わせる制御手段を有すること、
を特徴とする情報再生システム。
【請求項３】
前記サーバの制御手段は、
前記情報発生手段で生成される音声信号又は映像信号を前記携帯端末装置に無線伝送し、前記携帯端末装置において音声再生又は映像再生を行わせること、
を特徴とする請求項１又は２に記載の情報再生システム。
【請求項４】
前記サーバの制御手段は、
前記携帯端末装置から無線伝送されてくる前記指令信号に従って、前記マンマシンインタフェースに対して前記音声再生又は映像再生を停止させる制御を行うこと、
を特徴とする請求項１〜３の何れか１項に記載の情報再生システム。
【発明の詳細な説明】
【０００１】
【発明の属する技術分野】
本発明は、家庭や車内を含む総合生活空間において、音楽や映像をユーザの居場所に囚われることなく視聴できる、情報再生システムに関する。
【０００２】
【従来の技術】
家庭や車内では、その空間に視聴覚機器を配置することによって所望の音楽や映像を視聴することができる。例えば、家庭内におけるリスニングルーム等所定の場所に、ＣＤプレーヤ、ＤＶＤプレーヤ、チューナ等の情報再生装置と、スピーカ等マンマシンインタフェースを設置し、かかる設置した場所においてその情報を享受できる。一方、最近では設置場所に囚われることのない携帯型の情報再生装置も普及してきている。
【０００３】
【発明が解決しようとする課題】
ところで、家庭内のリスニングルーム、あるいは車内で音楽を聴こうとした場合、情報再生装置の設置場所にユーザの行動が縛られることになる。一方、携帯型の情報再生装置は、可搬性を考慮した場合、マンマシンインタフェースとしてイヤフォン或いはヘッドフォンを使用しなければならない。この携帯用マンマシンインタフェースは、ユーザの行動によっては邪魔になる場合がある。具体的には、音楽を聴いている最中に耳を掻こうとした場合、入浴や洗顔したりする場合である。上述したように据置き型、携帯型のいずれにおいてもユーザの行動に対する自由を束縛するものである。
【０００４】
本発明は上記事情に鑑みてなされたものであり、ユーザの主たる生活空間において、ユーザの行動を束縛することなく情報提供を可能とする情報再生システムを提供することを目的とする。
【０００５】
【課題を解決するための手段】
請求項１に記載の発明は、音声信号又は映像信号を生成する情報発生手段を有する親機としてのサーバと、前記親機に対する複数の子機として分散配置される複数のマンマシンインタフェースと、ユーザーが携帯する携帯端末装置とを備え、前記サーバに設けられた送受信手段と前記各々のマンマシンインタフェースに設けられた各々の送受信手段とを介して、前記サーバと前記各々のマンマシンインタフェースとの間で有線伝送又は無線伝送が行われと共に、前記サーバに設けられた前記送受信手段と前記携帯端末装置に設けられた送受信手段とを介して、前記サーバと前記携帯端末装置との間で無線伝送が行われる情報再生システムであって、前記ユーザーが携帯する携帯端末装置は、前記サーバに指令信号を無線伝送することで前記サーバを制御する制御手段と、所定距離の範囲内で測定可能な電力の電波を発信する発信手段と、を有し、前記各々のマンマシンインタフェースは、前記携帯端末装置の前記発信手段から発せられる前記電波の電界強度を測定する測定手段と、前記測定手段で測定される電界強度と所定値とを比較して、前記電界強度が前記所定値より大きいと判断すると前記ユーザーが近付いたことを示す信号を前記サーバに返送する制御手段と、を有し、前記サーバは、前記ユーザーが近付いたことを示す信号を返送してきたマンマシンインタフェースに対し、前記情報発生手段で生成される音声信号又は映像信号を伝送することで、音声再生又は映像再生を行わせる制御手段を有すること、を特徴とする。
【０００６】
請求項２に記載の発明は、音声信号又は映像信号を生成する情報発生手段を有する親機としてのサーバと、前記親機に対する複数の子機として分散配置される複数のマンマシンインタフェースと、ユーザーが携帯する携帯端末装置とを備え、前記サーバに設けられた送受信手段と前記各々のマンマシンインタフェースに設けられた各々の送受信手段とを介して、前記サーバと前記各々のマンマシンインタフェースとの間で有線伝送又は無線伝送が行われと共に、前記サーバに設けられた前記送受信手段と前記携帯端末装置に設けられた送受信手段とを介して、前記サーバと前記携帯端末装置との間で無線伝送が行われる情報再生システムであって、前記ユーザーが携帯する携帯端末装置は、前記サーバに指令信号を無線伝送することで前記サーバを制御する制御手段と、赤外線を発する発信手段と、を有し、前記各々のマンマシンインタフェースは、前記携帯端末装置の前記発信手段から発せられる前記赤外線を検知する検知手段と、前記検知手段で前記赤外線を検知されると前記ユーザーが近付いたことを示す信号を前記サーバに返送する制御手段と、を有し、前記サーバは、前記ユーザーが近付いたことを示す信号を返送してきたマンマシンインタフェースに対し、前記情報発生手段で生成される音声信号又は映像信号を伝送することで、音声再生又は映像再生を行わせる制御手段を有すること、を特徴とする。
【０００７】
請求項３に記載の発明は、請求項１又は２に記載の情報再生システムにおいて、前記サーバの制御手段は、前記情報発生手段で生成される音声信号又は映像信号を前記携帯端末装置に無線伝送し、前記携帯端末装置において音声再生又は映像再生を行わせること、を特徴とする。
【０００８】
請求項４に記載の発明は、請求項１〜３の何れか１項に記載の情報再生システムにおいて、前記サーバの制御手段は、前記携帯端末装置から無線伝送されてくる前記指令信号に従って、前記マンマシンインタフェースに対して前記音声再生又は映像再生を停止させる制御を行うこと、を特徴とする。
【０００９】
【発明の実施の形態】
図１は本発明における情報再生システムの実施形態を示す図である。本発明の情報再生システムは、音源となるホームサーバ１を核に、マンマシンインタフェースとなるワイヤレススピーカ３が家庭内の各部屋や廊下、階段、或いは自動車の車室内等に複数分散配置されることによってユーザに再生情報が享受される構成になっている。そして、ユーザが携帯するワイヤレス端末２の移動に伴い、ホームサーバ１に接続されるワイヤレススピーカ３が選択されるようになっている。
【００１０】
尚、親機であるホームサーバ１と子機であるスピーカ３との接続に関し、ここでは無線として扱っているが、有線であっても構わない。
【００１１】
図２は、図１に示すホームサーバ１の内部構成を示すブロック図である。図において、１１は親機となる当該ホームサーバ１の制御中枢となるＣＰＵである。ＣＰＵ１１は、操作キー１２を介してユーザから与えられる指令を解読して図５に示すフローチャートに従う動作を行う他、表示部１３に処理結果を表示したり、後述する各ブロックの制御も行う。ＣＰＵ１１は、上記したいずれの制御も内蔵プログラム（図示せず）を読み出し逐次実行することによりなされる。１４はＩＤＲＯＭであり、当該ホームサーバ１が持つユニークな識別番号を主に格納するメモリである。
【００１２】
１５は送受信ユニットであり、制御部１５１を核に、送信部１５２と受信部１５３で構成される。送信部１５２は、ＣＰＵ１１ならびに制御部１５１による制御の下、ＣＤプレーヤ４５、チューナ４６、ＨＤＤ１６等の音源からアドレスデータバス１６１、１６２経由で供給される音声信号を、マルチプレクサ１７、エンコーダ１８を介して変調し、マンマシンインタフェースとなる複数のワイヤレススピーカ３へ送信する。受信部１５３は、ＣＰＵ１１ならびに制御部１５１による制御の下、ワイヤレス端末２、またはワイヤレススピーカ３から供給される信号を受信し、デコーダ１９で復元し、必要に応じてデマルチプレクサ２０、アドレスデータバス１６１、１６２経由でＨＤＤ１６にダウンロードする。ホームサーバ１の詳細は図５に示すフローチャートを使用して後述する。
【００１３】
図３は、図１に示すワイヤレス端末２の内部構成を示すブロック図である。図において、２１は子機となる当該ワイヤレス端末２の制御中枢となるＣＰＵである。ＣＰＵ２１は、命令コード記憶部２５に格納された命令コード（後述するリレーコード、再生コード１、２等）を読出し実行する他、操作キー２２、表示部２３による入出力処理を行う。２４はＩＤＲＯＭであり、主に当該ワイヤレス端末のユニークな識別番号（ＩＤ）が格納されている。
【００１４】
２６は送受信ユニットであり、制御部２６１を核に、送信部２６２と受信部２６３で構成される。送信部２６２は、ＣＰＵ２１ならびに制御部２６１による制御の下、エンコーダ４２を介して変調された信号をホームサーバ１及びワイヤレススピーカ３に供給する。受信部２６３は、ＣＰＵ２１及び制御部２６１による制御の下、受信した信号をデコーダ４１によって復元し、デマルチプレクサ４３を介してＣＰＵ２１に供給する。ＨＤＤ２７に記録された音声情報は、ＣＰＵ２１による制御の下、Ｄ／Ａ変換器２８を介してアナログ信号に変換され、アンプ２９経由でワイヤレス端末２が持つ携帯スピーカ３０に供給される。ワイヤレス端末２の詳細は、図６に示すフローチャートを使用して後述する。
【００１５】
図４は、図１に示すワイヤレススピーカ３の内部構成を示すブロック図である。図において、３１は子機となる当該ワイヤレススピーカ３の制御中枢となるＣＰＵである。ＣＰＵ３１は、内蔵するプログラムに従い図７にフローチャートで示す処理を実行する他、後述する各ブロックの制御を行う。３２はＩＤＲＯＭであり、当該ワイヤレススピーカ３に付されたユニークな識別番号が主に格納されるメモリである。
【００１６】
３３は送受信ユニットであり、制御部３３１を核に、送信部３３２、受信部３３３、そして、電界強度測定部３３４で構成される。送信部３３２は、ＣＰＵ３１により生成される信号をエンコーダ３６を介して変調し、親機であるホームサーバ１あるいは子機であるワイヤレス端末２へ供給する。受信部３３３は、制御部３３１による制御の下、親機であるホームサーバ１から受信した音声信号をデコーダ３７により復元し、デマルチプレクサ３８経由でＣＰＵ３１に供給する。ＣＰＵ３１が受信した音声信号は、Ｄ／Ａ変換器３９を介してアナログ信号に変換され、アンプ３４経由でマンマシンインタフェースとしてのスピーカ３５に供給され所望の音声として出力される。
【００１７】
尚、電界強度測定部３３４は、ＣＰＵ３１による制御の下、子機であるワイヤレス端末２から発せられるリレーコードの電界強度を測定する部分であり、後述するようにユーザが当該ワイヤレススピーカ３近傍（例えば半径２ｍ四方）にいるか否かの判定のために微弱電力で発信されるリレーコードが使用される。リレーコードの受信結果はＣＰＵ３１に供給される。
【００１８】
図５乃至図７は本発明実施形態の動作を説明するために引用したフローチャートであり、それぞれ、ホームサーバ１、ワイヤレス端末２、ワイヤレススピーカ３が持つプログラム（それぞれＣＰＵ１１、２１、３１が実行）の処理手順が示されている。
【００１９】
以下、図５乃至図７に示すフローチャートを参照しながら図１乃至図４に示す本発明実施形態の動作について詳細に説明する。
【００２０】
まず、ホームサーバ１内蔵のＣＰＵ１１は、ワイヤレス端末２から命令コード及びＩＤ入力が送信されたか否かをチェックする（図５、ステップＳ５１）。ここで、再生コード１とは、ワイヤレス端末２に付属のスピーカのみで再生するモードを、再生コード２とはワイヤレス端末２に付属のスピーカとワイヤレススピーカ３で再生するモードを示すものとする。ＣＰＵ１１は、再生コードの種類を調べ（ステップＳ５２）、そのいずれでもなければ入力されたコードに従う処理を実行する（ステップＳ６７）。ここで、再生コード１または２であれば、対応する再生装置に対して再生コマンドを出力する（ステップＳ５３）。次に、ＣＰＵ１１は、入力されたＩＤを有する子機（ワイヤレス端末２）と回線接続を行う（ステップＳ５４）。
【００２１】
ＣＰＵ１１は、次に再生コードを調べ（ステップＳ５５）、再生コード２であればワイヤレススピーカ３での再生が指示されているため、変数Ｎとしてパラメータ“１”を設定し（ステップＳ５６）、タイマによる計時を開始する（ステップＳ５７）。尚、変数Ｎは有限であり、設定としてはワイヤレススピーカ３のＩＤ番号相当数とする。そして、ＩＤ番号“Ｎ”のワイヤレススピーカ３に対して接続要否のリクエストを発し（ステップＳ５８）、接続要求があるか否か、即ち、ユーザがそのワイヤレススピーカ３近傍にいるか否かを調べる（ステップＳ５９）。ユーザが当該ワイヤレススピーカ３の近傍にいる場合には、ワイヤレススピーカ３の後述する接続要求信号としてのＡＣＫが返ってくるため、ＩＤ番号“Ｎ”のワイヤレススピーカ３と回線接続を行う（ステップＳ６０）。
【００２２】
ここで、ユーザがＩＤ番号“Ｎ”を持つワイヤレススピーカ３の近傍にいなかった場合はＡＣＫが返らないため、更にタイマによる所定時間の計時が終了したか否かを調べ（ステップＳ６２）、未だ経過していなかったら変数Ｎをインクリメントし（ステップＳ６１）、ステップＳ５８以降の処理を繰り返す。一方、所定時間経過したらデフォルトのワイヤレススピーカ３（例えばＩＤ番号“１”）との回線接続を行う。そして、ユーザが操作キー２２を操作することによる停止の指示、あるいは終了コマンドの到来を待って（ステップＳ６４）、再生装置１６に対して停止コマンドを出力する（ステップＳ６５）。そして、回線切断処理（ステップＳ６６）を行ってホームサーバ１としての処理を終了する。
【００２３】
なお、ステップＳ５４におけるワイヤレス端末２との回線接続に伴なって、ワイヤレス端末２に付属のスピーカによる再生が行われるため、ワイヤレス端末２に付属のスピーカは、ホームサーバ１から供給される音楽情報を、ワイヤレススピーカ３による再生と並行して常に再生する状態にある。これは、例えば、視聴者が洗濯物を干したり、自宅から駐車場に移動する場合等のように、屋外、すなわち、ワイヤレススピーカ３を設置できない空間へ移動しなければならない状況において、それまで聴いていた音楽を中断することなく聴き続けることを可能にするためである。つまり、視聴者は、屋外に出るときのみワイヤレス端末２に付属のスピーカ（イヤホン等）を聴覚器官に装着することで、再生中の音楽をそのまま聴き続けることができるのである。
【００２４】
一方、ステップＳ５５において、再生コード２以外である、つまり、再生コード１であると判断された場合は、ワイヤレス端末２に付属のスピーカによる再生が指示されているため、終了命令が出されるまでループする。また、図５に示すフローチャートに記載はないが、ワイヤレススピーカ３の数は有限であり、例えば変数Ｎとして“１０”台ある場合、“１０”を越えたら“１”に戻すような配慮も必要である。
【００２５】
ワイヤレス端末２内蔵のＣＰＵ２１は、まず、操作キー２２を介してのキー入力があるか否かを調べる（図６、ステップＳ７１）。再生キーであった場合には再生コード１と当該ワイヤレス端末２が持つＩＤコードを親機であるホームサーバ１へ出力する（ステップＳ７２、Ｓ７６）。スピーカ再生キーであった場合には、再生コード２と当該ワイヤレス端末２が持つＩＤコードを親機であるホームサーバ１へ出力する（ステップＳ７３、Ｓ７７）。そして、リレーコードを自己発信する（ステップＳ７８）。
【００２６】
ここで、再生キーは、ワイヤレス端末２に付属のスピーカ（イヤホン）のみで再生すること、スピーカ再生キーは、ワイヤレス端末２に付属のスピーカとワイヤレススピーカ３で再生することを示すものとする。また、終了キーであった場合には、終了コードとＩＤコードを親機であるホームサーバ１に出力し、リレーコードの発信を停止する（ステップＳ７４、Ｓ７９、Ｓ８０）。上記いずれのキーにも該当しない場合は、入力されたキーに対応する処理を実行し、ステップＳ７１以降の処理に戻る。
【００２７】
ワイヤレススピーカ３内蔵の端末ＣＰＵ３１は、まず初期設定を行う（図７、ステップＳ８１）。ここでは、変数ＫとＦに対し、共に“０”を設定し、ミュート出力指令を発する。従って、ワイヤレススピーカ３からは音が出ていない状態にある。次に当該ワイヤレススピーカ３に対しＩＤ要求があるか否か、つまり、親機であるホームサーバ１からステップＳ５８における接続要求リクエストがあるか否かが調べられる（ステップＳ８２）。ＩＤ要求があった場合、送受信ユニット３３内蔵の電界強度測定部３３４に対して電界強度の測定を指示し（ステップＳ８３）、得られる電界強度と所定値との比較が行われる（ステップＳ８４）。電界強度が所定値より大きかった場合には変数Ｆに“１”をセットし（ステップＳ８５）、大きくなかった場合“０”をセットする（ステップＳ８６）。
【００２８】
かかる所定値は、ワイヤレススピーカ３の設置間隔の半分より大なる位置、例えば、４ｍ置きにスピーカが設置されている場合には、ワイヤレス端末２から半径２ｍ乃至３ｍの範囲内において測定される電界強度に設定されることが好ましい。かかる電界強度を上記所定値として設定すれば、視聴者の移動方向（移動元と移動先）にある２つのスピーカ３のうち、少なくともいずれか一方のスピーカ３がホームサーバ１と回線接続されることになるため（設置されたスピーカの中間地点に視聴者が居る場合には、移動元のスピーカと移動先のスピーカが同時にホームサーバ１と接続される状況も有り得る）、視聴者の移動に伴うワイヤレススピーカ３の切換え時でも音楽情報が途切れることがなくなって好ましい。我が国における住宅事情を勘案すると、上記所定値は、ワイヤレス端末２から半径５０ｃｍ乃至３ｍ程度の範囲内で測定される電界強度に設定すると良い。
【００２９】
なお、パラメータとしてＦに“１”がセットされた場合、ワイヤレス端末２が当該ワイヤレススピーカ３近傍に存在することを示し、“０”がセットされた場合、ワイヤレス端末２が近傍に存在しないことを示すものとする。また、Ｋに“１”がセットされた場合、親機であるホームサーバ１と回線接続中であることを示し、“０”がセットされた場合、親機であるホームサーバ１との回線が切断中であることを示すものとする。
【００３０】
次に、ＣＰＵ３１は、変数Ｆに“１”がセットされているか否かを調べる（ステップＳ８７）。“１”がセットされていなかった場合にはステップＳ８１以降の処理を繰り返し、“１”の場合は、当該ワイヤレススピーカ３が持つＩＤコード及び接続要求信号を出力する（ステップＳ８８）。そして、変数Ｋが“０”か否かを調べ（ステップＳ８９）、“０”、即ち、ホームサーバ１と回線が切断中であったとき、変数Ｋに“１”を設定してホームサーバ１との回線接続中とし、ミュート指令を解除する。一方、変数Ｋが“０”でなかった場合、つまり、ホームサーバ１と回線接続中であった場合にはステップＳ８２以降の処理を繰り返す。
【００３１】
以上説明のように本発明は、再生装置を備えたホームサーバ等の情報発生源から伝送される情報を知覚信号に変換して再生するスピーカやディスプレイ等複数のマンマシンインタフェースを備えた情報伝送システムに用いられ、マンマシンインタフェースにおいてユーザが自身に近接したことを検知することにより、情報発生源から伝送される情報を再生可能な状態に設定するものであり、このことにより、ユーザは、自身の居場所に囚われることなく音楽や映像を視聴可能となる。
【００３２】
尚、上述した本発明実施形態では音楽情報を場所に囚われることなく聴くことのできる情報再生システムのみ例示したが、情報再生として音楽のみならず、映像を視聴させる場合も同様に実現可能であり、駐車場を含むユーザの生活空間全てをリスニング、あるいはシアタールームとすることが可能である。また、本発明実施形態ではワイヤレスの手段として電波を用いたが、赤外線を用いても良く、同様の効果が得られるものである。
【００３３】
【発明の効果】
以上説明のように本発明によれば、音源となるホームサーバを核に、マンマシンインタフェースとなるワイヤレススピーカが複数分散配置されることによって再生情報が享受され、ユーザが携帯するワイヤレス端末の移動に伴い、ホームサーバに接続されるワイヤレススピーカが選択される構成となっている。従って、ユーザは、ワイヤレス端末を携帯し、共に移動することで、マンマシンインタフェースを介し所望の再生情報を享受できる。
【００３４】
このことにより、ユーザは、自身の居場所にとらわれることなく音楽や映像を視聴できる。このとき、従来のように、家庭内における再生装置の設置場所による束縛と、携帯型の再生装置を利用した場合にマンマシンインタフェースを視聴覚器官に設置しなければならないといった束縛から解放され、このことから、主たる生活空間においてユーザの行動を束縛することなく情報の提供、享受が可能となる。
【図面の簡単な説明】
【図１】  本発明における情報再生システムの実施形態を示すブロック図である。
【図２】  図１におけるホームサーバの内部構成を示すブロック図である。
【図３】  図１におけるワイヤレス端末の内部構成を示すブロック図である。
【図４】  図１におけるワイヤレススピーカの内部構成を示すブロック図である。
【図５】  ホームサーバ内蔵のＣＰＵによる処理手順をフローチャートで示した図である。
【図６】  ワイヤレス端末内蔵のＣＰＵによる処理手順をフローチャートで示した図である。
【図７】  ワイヤレススピーカ内蔵のＣＰＵによる処理手順をフローチャートで示した図である。
【符号の説明】
１…ホームサーバ、２…ワイヤレス端末、３…ワイヤレススピーカ、１１（２１、３１）…ＣＰＵ、１２（２２）…操作キー、１４（２４、３２）…ＩＤＲＯＭ、１５（２６、３３）…送受信ユニット、３３４…電界強度測定部、
【図１】
0004083361.tif 000002
【図２】
0004083361.tif 000003
【図３】
0004083361.tif 000004
【図４】
0004083361.tif 000005
【図５】
0004083361.tif 000006
【図６】
0004083361.tif 000007
【図７】
0004083361.tif 000008